(57)【要約】  第１の対物レンズ（１８）と第２の対物レンズ（１９）とを搭載した光ピックアップＡ１であって、所定波長のレーザ光を出射する第１の光源１０と、所定の偏光特性をもつ第１の偏光ビームを反射光として第１の対物レンズ（１８）に導く一方、これとは異なる偏光特性をもつ第２の偏光ビームを透過光として第２の対物レンズ（１９）に導く偏光ビームスプリッタ（１６）と、第１の光源（１０）と偏光ビームスプリッタ（１６）との間に配置され、第１の光源（１０）から出射したレーザ光を第１の偏光ビームおよび第２の偏光ビームに変換する偏光制御素子（１３）とを備えている。【特許請求の範囲】
【請求項１】
第１の対物レンズと第２の対物レンズとを搭載した光ピックアップであって、
所定波長のレーザ光を出射する第１の光源と、
所定の偏光特性をもつ第１の偏光ビームを反射光として前記第１の対物レンズに導く一方、これとは異なる偏光特性をもつ第２の偏光ビームを透過光として前記第２の対物レンズに導く偏光ビームスプリッタと、
前記第１の光源と前記偏光ビームスプリッタとの間に配置され、前記第１の光源から出射したレーザ光を前記第１の偏光ビームおよび第２の偏光ビームに変換する偏光制御素子と、
を備えていることを特徴とする、光ピックアップ。
【請求項２】
前記偏光ビームスプリッタは、前記第１の対物レンズの直下に配置されており、前記第２の対物レンズの直下には、前記偏光ビームスプリッタを透過した前記第２の偏光ビームを前記第２の対物レンズに向けて進行させるための立ち上げミラーが配置されている、請求項１に記載の光ピックアップ。
【請求項３】
前記第１の光源とは異なる波長のレーザ光を出射する第２の光源と、
前記第１の光源から出射した所定波長のレーザ光と、これとは異なる波長で前記第２の光源から出射したレーザ光とにつき、これらのいずれか一方を反射して他方を透過するダイクロイックミラーとを備え、
前記立ち上げミラーは、ハーフミラーで構成されているとともに、前記ダイクロイックミラーは、前記第２の光源と前記立ち上げミラーとの間、または前記偏光ビームスプリッタと前記立ち上げミラーとの間に配置されている、請求項２に記載の光ピックアップ。
【請求項４】
前記第１の光源から出射して前記偏光ビームスプリッタに入射するレーザ光は、前記第２の光源から出射して前記立ち上げミラーに入射するレーザ光に対し、光軸が一致しつつも入射方向が逆向きになっている、請求項３に記載の光ピックアップ。
【請求項５】
前記第１の光源と前記偏光制御素子との間に配置された中間ハーフミラーと、
前記第１の対物レンズおよび第２の対物レンズの少なくともいずれか一方から前記偏光ビームスプリッタおよび偏光制御素子を通って戻ってきたレーザ光を、前記中間ハーフミラーを介して検出する第１の光検出器と、
前記第１の光源と前記中間ハーフミラーとの間および前記中間ハーフミラーと前記第１の光検出器との間となる２箇所、または前記中間ハーフミラーと前記偏光制御素子との間となる１箇所に配置されたコリメータレンズとを備えている、請求項２ないし４のいずれかに記載の光ピックアップ。
【請求項６】
前記偏光ビームスプリッタと前記第１の対物レンズとの間に配置された１／４波長板と、
前記１／４波長板を双方向に２回通ることにより、前記第１の対物レンズから前記偏光ビームスプリッタを透過して前記第１の光検出器とは異なる方向に戻ってきたレーザ光を検出する第２の光検出器とを備え、
前記第１の光検出器は、前記第２の対物レンズから前記立ち上げミラーを介して戻ってきたレーザ光を検出するように構成されている、請求項５に記載の光ピックアップ。
【請求項７】
前記第１の光源と前記偏光制御素子との間に配置された中間ハーフミラーと、
前記第１の対物レンズおよび第２の対物レンズの少なくともいずれか一方から前記偏光ビームスプリッタおよび偏光制御素子を通って戻ってきたレーザ光を、前記中間ハーフミラーを介して検出する第１の光検出器と、
前記第１の光源と前記中間ハーフミラーとの間および前記中間ハーフミラーと前記第１の光検出器との間となる２箇所、または前記中間ハーフミラーと前記偏光制御素子との間となる１箇所に配置されたコリメータレンズとを備え、
前記立ち上げミラーから前記第２の光源にかけての間には、その方向に順に並んで、前記第１の光源に対応した特定波長域用の１／４波長板、前記ダイクロイックミラー、および前記第２の光源に対応した位相補正板が配置されており、
前記立ち上げミラーは、偏光性をもつハーフミラーで構成されているとともに、前記ダイクロイックミラーは、前記第１の光源から出射した所定波長のレーザ光を反射する一方、これとは異なる波長で前記第２の光源から出射したレーザ光を透過するように構成されている、請求項３または４に記載の光ピックアップ。
【請求項８】
前記第１の光検出器は、前記第１の対物レンズから前記偏光ビームスプリッタを介して戻ってきたレーザ光を検出するように構成されているとともに、前記立ち上げミラーは、偏光性をもつハーフミラーで構成されており、
前記立ち上げミラーと前記第２の対物レンズとの間に配置された１／４波長板と、
前記１／４波長板を双方向に２回通ることにより、前記第２の対物レンズから前記立ち上げミラーを透過して前記第１の光検出器とは異なる方向に戻ってきたレーザ光を検出する第２の光検出器とを備えている、請求項７に記載の光ピックアップ。
【請求項９】
前記立ち上げミラーは、偏光性をもつハーフミラーで構成されているとともに、前記ダイクロイックミラーは、前記第１の光源から出射した所定波長のレーザ光を反射する一方、これとは異なる波長で前記第２の光源から出射したレーザ光を透過するように構成されており、
前記偏光ビームスプリッタと前記第１の対物レンズとの間、および前記立ち上げミラーと前記第２の対物レンズとの間に配置された２つの１／４波長板と、
前記１／４波長板を双方向に２回通ることにより、前記第１の対物レンズから前記偏光ビームスプリッタを透過して前記第１の光源とは異なる方向に戻ってきたレーザ光を検出する第１の光検出器と、
前記第１の光源と前記偏光ビームスプリッタとの間、および前記偏光ビームスプリッタと前記第１の光検出器との間に配置された２つのコリメータレンズと、
前記１／４波長板を双方向に２回通ることにより、前記第２の対物レンズから前記立ち上げミラーを透過して前記第２の光源とは異なる方向に戻ってきたレーザ光を検出する第２の光検出器とを備え、
前記立ち上げミラーから前記第２の光源にかけての間には、その方向に順に並んで、前記第１の光源に対応した特定波長域用の１／４波長板、前記ダイクロイックミラー、および前記第２の光源に対応した位相補正板が配置されている、請求項３または４に記載の光ピックアップ。
【請求項１０】
前記第１の光源と前記偏光制御素子との間に配置された中間ハーフミラーと、
前記第１の対物レンズおよび第２の対物レンズの双方から前記偏光ビームスプリッタおよび偏光制御素子を通って戻ってきたレーザ光を、前記中間ハーフミラーを介して検出する第１の光検出器と、
前記第１の光源と前記中間ハーフミラーとの間および前記中間ハーフミラーと前記第１の光検出器との間となる２箇所、または前記中間ハーフミラーと前記偏光制御素子との間となる１箇所に配置されたコリメータレンズとを備え、
前記偏光ビームスプリッタから前記立ち上げミラーにかけての間には、その方向に順に並んで、１／２波長板および前記ダイクロイックミラーが配置されており、
前記ダイクロイックミラーは、前記第１の光源から出射した所定波長のレーザ光を透過する一方、これとは異なる波長で前記第２の光源から出射したレーザ光を反射するように構成されている、請求項３または４に記載の光ピックアップ。
【請求項１１】
前記ダイクロイックミラーと前記立ち上げミラーとの間には、１／４波長板が配置されている、請求項１０に記載の光ピックアップ。
【請求項１２】
前記立ち上げミラーは、偏光性をもつハーフミラーで構成されているとともに、前記ダイクロイックミラーは、前記第１の光源から出射した所定波長のレーザ光を反射する一方、これとは異なる波長で前記第２の光源から出射したレーザ光を透過するように前記第２の光源と前記立ち上げミラーとの間に配置されており、
前記第１の光源と前記偏光制御素子との間に配置された中間ハーフミラーと、
前記第１の対物レンズから前記偏光ビームスプリッタおよび偏光制御素子を通って戻ってきたレーザ光を、前記中間ハーフミラーを介して検出する第１の光検出器と、
前記第１の光源と前記中間ハーフミラーとの間および前記中間ハーフミラーと前記第１の光検出器との間となる２箇所、または前記中間ハーフミラーと前記偏光制御素子との間となる１箇所に配置されたコリメータレンズと、
前記立ち上げミラーと前記第２の対物レンズとの間に配置された１／４波長板と、
前記１／４波長板を双方向に２回通ることにより、前記第２の対物レンズから前記立ち上げミラーを透過して前記第１の光源とは異なる方向に戻ってきたレーザ光を検出する第２の光検出器とを備えている、請求項３または４に記載の光ピックアップ。
【請求項１３】
前記第１の対物レンズおよび第２の対物レンズは、いずれか一方がブルーレイディスクに対応しており、他方がＨＤ−ＤＶＤに対応している、請求項１ないし４のいずれかに記載の光ピックアップ。
【請求項１４】
前記第１の光源は、所定波長として４０５ｎｍのレーザ光を発する青色レーザ光源である、請求項１３に記載の光ピックアップ。
【請求項１５】
前記第２の対物レンズは、ブルーレイディスクおよびＨＤ−ＤＶＤとは異なる規格の複数種類のディスクにも対応している、請求項１３に記載の光ピックアップ。
【請求項１６】
請求項１ないし１５のいずれかに記載の光ピックアップを備えたことを特徴とする、光ディスク装置。
【発明の詳細な説明】
【技術分野】
【０００１】
本発明は、光ディスクの記録／再生を行うための光ディスク装置に関し、特に、光ディスク装置の主要な光学部品となる光ピックアップに関する。より詳細には、異なる規格からなる複数種類の光ディスクについての記録／再生を可能に複数の対物レンズを搭載した光ピックアップに関する。
【背景技術】
【０００２】
異なる規格からなる複数種類の光ディスクについて、これらの記録／再生を行う光ディスク装置としては、様々な構成が案出されている。特に、高密度記録媒体であるブルーレイディスクやＨＤ−ＤＶＤの出現により、今後は、これまでの赤色系の光ディスク（ＣＤやＤＶＤ）に加え、青色系の光ディスク（ブルーレイディスクやＨＤ−ＤＶＤ）にも対応可能な光ディスク装置が待望されている。【０００３】
この種の光ディスク装置の光ピックアップは、異なる規格の光ディスクに対して適用されるレーザ光の波長や、ディスク表面から記録層までのカバー層厚みに対応したものでなければならない。たとえば、ＣＤについては、カバー層厚みが１．２ｍｍであり、適用されるレーザ光の波長が略７８０ｎｍである。ＤＶＤについては、カバー層厚みが０．６ｍｍであり、適用されるレーザ光の波長が略６６０ｎｍである。【０００４】
このように、異なるカバー層厚みと波長とで規格化された複数種類の光ディスクを一つの光ピックアップで対応するには、これまで様々な工夫を施した仕組みが提案されており、たとえば特許文献１に開示されたものがある。この特許文献１の技術では、光ピックアップに搭載する対物レンズとして、表面に同心円状をなすように凹凸が刻まれた回折格子付きの２焦点レンズを用いている。この２焦点レンズを異なる波長のレーザ光が通過する際には、波長に応じて回折角が異なるので、レーザ光の波長とカバー層厚みとに応じて適切な位置に焦点が合わされる（カバー層厚みに応じて球面収差が補正される）。すなわち、一つの光ピックアップでも、使用するレーザ光の波長の違いとカバー層厚みの違いとを巧みに利用することにより、ＣＤおよびＤＶＤの双方について記録／再生を行うことが可能となっている。【０００５】
一方、ブルーレイディスクおよびＨＤ−ＤＶＤについては、ブルーレイディスクのカバー層厚みが０．１ｍｍで、ＨＤ−ＤＶＤのカバー層厚みが０．６ｍｍである。このようにカバー層厚みが異なるにもかかわらず、ブルーレイディスクおよびＨＤ−ＤＶＤについては、適用されるレーザ光の波長が略４０５ｎｍで同一である。このような場合には、回折格子付きの２焦点レンズでブルーレイディスクおよびＨＤ−ＤＶＤの双方に対応することができない。客観的にレンズ製造の技術面からしても、双方のディスクに対応した一つの対物レンズを設計することは極めて困難であり、現時点では、コスト、外形寸法、性能のバランスを考慮すると、ブルーレイディスクとＨＤ−ＤＶＤについては、それぞれに応じた対物レンズで対応するのが好ましい。【０００６】
そのため、たとえば特許文献２に開示されたものに類する構成が考えられている。これは、たとえば図１９（Ａ）に示すように、光ディスク装置８０に対し、ＨＤ−ＤＶＤ用の対物レンズや光源を搭載した光ピックアップ８１と、ブルーレイディスク用の対物レンズや光源を搭載した光ピックアップ８２とを装備する方法である。これら２つの光ピックアップ８１，８２は、互いに独立してディスク８４の径方向に移動するように設けられている。【０００７】
ＨＤ−ＤＶＤ用の対物レンズおよびブルーレイディスク用の対物レンズは、いずれもＣＤおよびＤＶＤの対物レンズとしても用いることができる。そのため、２つの光ピックアップ８１，８２については、いずれか一方をＣＤ／ＤＶＤ／ＨＤ−ＤＶＤ用で他方をブルーレイディスク用として、あるいはいずれか一方をＣＤ／ＤＶＤ／ブルーレイディスク用で他方をＨＤ−ＤＶＤ用として用いることができる。【０００８】
図１９（Ａ）に示すような構成では、２つの光ピックアップ８１，８２を移動させる機構が２組必要であるため、これを改良した図１９（Ｂ）に示すような構成がさらに考えられている。これは、光ディスク装置８５に一つの光ピックアップ８６を装備した構成である。光ピックアップ８６には、ブルーレイディスク用の光源８７とＨＤ−ＤＶＤ用の光源８８とを対向するように設けるとともに、光ピックアップ８６の中央部には、ブルーレイディスク用の対物レンズ８９とＨＤ−ＤＶＤ用の対物レンズ９０とをディスク８４の周方向に並ぶように配置している。このような構成によれば、光ピックアップ８６をディスク８４の径方向に移動させる機構を１組設けるだけでよく、より簡素な構成とすることができる。【０００９】
図２０は、図１９（Ｂ）の光ピックアップ８６に備えられる光学部品の構成を詳細に示している。この光ピックアップ８６は、第１の光学系８６’として、ブルーレイディスク用の光源として用いられる青色系レーザダイオード８７、ブルーレイディスク用の対物レンズ８９、コリメータレンズ９１，９４、ハーフミラー９２、立ち上げミラー９３、およびブルーレイディスク用の光検出器９５を備えている。また、光ピックアップ８６は、第２の光学系８６”として、ＨＤ−ＤＶＤ用の光源として用いられる青色系レーザダイオード８８、ＨＤ−ＤＶＤおよびＣＤ／ＤＶＤ共用の対物レンズ９０、コリメータレンズ９６，９９、ハーフミラー９７、立ち上げミラー９８、ＨＤ−ＤＶＤ用の光検出器１００、ＣＤ／ＤＶＤ用の光検出器や光源が内蔵された光学ユニット１０１、およびダイクロイックミラー１０２を備えている。【００１０】
【特許文献１】特開平０８−３１５４０２号公報
【特許文献２】特開２００３−１０９３５７号公報
【００１１】
しかしながら、図１９（Ｂ）および図２０に示すような構成としても、ブルーレイディスク用の光学系とＨＤ−ＤＶＤ用の光学系とが互いに分離した構成となり、光源として用いられる青色系レーザダイオードをはじめ、同一の光学特性をもつ光学部品がブルーレイディスク用およびＨＤ−ＤＶＤ用の光学系ごとに必要とされる。特に、青色系レーザダイオードについては、ＣＤ／ＤＶＤなどに用いられる赤色系レーザダイオードに比べて高価であるため、部品コストの大幅な上昇を招きやすい。そのため、装置全体としても、コスト高にならざるを得ず、コストパフォーマンスの点で劣るという難点があった。【００１２】
たとえば、ブルーレイディスク用およびＨＤ−ＤＶＤ用の２つの光学系を一つの光ピックアップに構築しなければならないため、光ピックアップの大型化や重量増加につながり、それに伴って光ディスクに対するシーク動作が緩慢になるおそれもある。さらには、大型で比較的重さのある光ピックアップを光ディスクの径方向に往復動させなければならないことから、消費電力が増大するといったおそれもある。
【発明の開示】
【００１３】
本発明は、上記した事情のもとで考え出されたものである。本発明は、光源などの光学系をできる限り共通のものとし、簡単な構成とすることができる光ピックアップ、およびこのような光ピックアップを備えた光ディスク装置を提供することをその課題としている。
【００１４】
上記課題を解決するため、本発明では、次の技術的手段を講じている。
【００１５】
本発明の第１の側面により提供される光ピックアップは、第１の対物レンズと第２の対物レンズとを搭載した光ピックアップであって、所定波長のレーザ光を出射する第１の光源と、所定の偏光特性をもつ第１の偏光ビームを反射光として前記第１の対物レンズに導く一方、これとは異なる偏光特性をもつ第２の偏光ビームを透過光として前記第２の対物レンズに導く偏光ビームスプリッタと、前記第１の光源と前記偏光ビームスプリッタとの間に配置され、前記第１の光源から出射したレーザ光を前記第１の偏光ビームおよび第２の偏光ビームに変換する偏光制御素子とを備えていることを特徴としている。
【００１６】
好ましくは、前記偏光ビームスプリッタは、前記第１の対物レンズの直下に配置されており、前記第２の対物レンズの直下には、前記偏光ビームスプリッタを透過した前記第２の偏光ビームを前記第２の対物レンズに向けて進行させるための立ち上げミラーが配置されている。
【００１７】
好ましくは、前記第１の光源とは異なる波長のレーザ光を出射する第２の光源と、前記第１の光源から出射した所定波長のレーザ光と、これとは異なる波長で前記第２の光源から出射したレーザ光とにつき、これらのいずれか一方を反射して他方を透過するダイクロイックミラーとを備え、前記立ち上げミラーは、ハーフミラーで構成されているとともに、前記ダイクロイックミラーは、前記第２の光源と前記立ち上げミラーとの間、または前記偏光ビームスプリッタと前記立ち上げミラーとの間に配置されている。
【００１８】
好ましくは、前記第１の光源から出射して前記偏光ビームスプリッタに入射するレーザ光は、前記第２の光源から出射して前記立ち上げミラーに入射するレーザ光に対し、光軸が一致しつつも入射方向が逆向きになっている。
【００１９】
好ましくは、前記第１の光源と前記偏光制御素子との間に配置された中間ハーフミラーと、前記第１の対物レンズおよび第２の対物レンズの少なくともいずれか一方から前記偏光ビームスプリッタおよび偏光制御素子を通って戻ってきたレーザ光を、前記中間ハーフミラーを介して検出する第１の光検出器と、前記第１の光源と前記中間ハーフミラーとの間および前記中間ハーフミラーと前記第１の光検出器との間となる２箇所、または前記中間ハーフミラーと前記偏光制御素子との間となる１箇所に配置されたコリメータレンズとを備えている。
【００２０】
好ましくは、前記偏光ビームスプリッタと前記第１の対物レンズとの間に配置された１／４波長板と、前記１／４波長板を双方向に２回通ることにより、前記第１の対物レンズから前記偏光ビームスプリッタを透過して前記第１の光検出器とは異なる方向に戻ってきたレーザ光を検出する第２の光検出器とを備え、前記第１の光検出器は、前記第２の対物レンズから前記立ち上げミラーを介して戻ってきたレーザ光を検出するように構成されている。
【００２１】
好ましくは、前記第１の光源と前記偏光制御素子との間に配置された中間ハーフミラーと、前記第１の対物レンズおよび第２の対物レンズの少なくともいずれか一方から前記偏光ビームスプリッタおよび偏光制御素子を通って戻ってきたレーザ光を、前記中間ハーフミラーを介して検出する第１の光検出器と、前記第１の光源と前記中間ハーフミラーとの間および前記中間ハーフミラーと前記第１の光検出器との間となる２箇所、または前記中間ハーフミラーと前記偏光制御素子との間となる１箇所に配置されたコリメータレンズとを備え、前記立ち上げミラーから前記第２の光源にかけての間には、その方向に順に並んで、前記第１の光源に対応した特定波長域用の１／４波長板、前記ダイクロイックミラー、および前記第２の光源に対応した位相補正板が配置されており、前記立ち上げミラーは、偏光性をもつハーフミラーで構成されているとともに、前記ダイクロイックミラーは、前記第１の光源から出射した所定波長のレーザ光を反射する一方、これとは異なる波長で前記第２の光源から出射したレーザ光を透過するように構成されている。
【００２２】
好ましくは、前記第１の光検出器は、前記第１の対物レンズから前記偏光ビームスプリッタを介して戻ってきたレーザ光を検出するように構成されているとともに、前記立ち上げミラーは、偏光性をもつハーフミラーで構成されており、前記立ち上げミラーと前記第２の対物レンズとの間に配置された１／４波長板と、前記１／４波長板を双方向に２回通ることにより、前記第２の対物レンズから前記立ち上げミラーを透過して前記第１の光検出器とは異なる方向に戻ってきたレーザ光を検出する第２の光検出器とを備えている。
【００２３】
好ましくは、前記立ち上げミラーは、偏光性をもつハーフミラーで構成されているとともに、前記ダイクロイックミラーは、前記第１の光源から出射した所定波長のレーザ光を反射する一方、これとは異なる波長で前記第２の光源から出射したレーザ光を透過するように構成されており、前記偏光ビームスプリッタと前記第１の対物レンズとの間、および前記立ち上げミラーと前記第２の対物レンズとの間に配置された２つの１／４波長板と、前記１／４波長板を双方向に２回通ることにより、前記第１の対物レンズから前記偏光ビームスプリッタを透過して前記第１の光源とは異なる方向に戻ってきたレーザ光を検出する第１の光検出器と、前記第１の光源と前記偏光ビームスプリッタとの間、および前記偏光ビームスプリッタと前記第１の光検出器との間に配置された２つのコリメータレンズと、前記１／４波長板を双方向に２回通ることにより、前記第２の対物レンズから前記立ち上げミラーを透過して前記第２の光源とは異なる方向に戻ってきたレーザ光を検出する第２の光検出器とを備え、前記立ち上げミラーから前記第２の光源にかけての間には、その方向に順に並んで、前記第１の光源に対応した特定波長域用の１／４波長板、前記ダイクロイックミラー、および前記第２の光源に対応した位相補正板が配置されている。
【００２４】
好ましくは、前記第１の光源と前記偏光制御素子との間に配置された中間ハーフミラーと、前記第１の対物レンズおよび第２の対物レンズの双方から前記偏光ビームスプリッタおよび偏光制御素子を通って戻ってきたレーザ光を、前記中間ハーフミラーを介して検出する第１の光検出器と、前記第１の光源と前記中間ハーフミラーとの間および前記中間ハーフミラーと前記第１の光検出器との間となる２箇所、または前記中間ハーフミラーと前記偏光制御素子との間となる１箇所に配置されたコリメータレンズとを備え、前記偏光ビームスプリッタから前記立ち上げミラーにかけての間には、その方向に順に並んで、１／２波長板および前記ダイクロイックミラーが配置されており、前記ダイクロイックミラーは、前記第１の光源から出射した所定波長のレーザ光を透過する一方、これとは異なる波長で前記第２の光源から出射したレーザ光を反射するように構成されている。
【００２５】
好ましくは、前記ダイクロイックミラーと前記立ち上げミラーとの間には、１／４波長板が配置されている。
【００２６】
好ましくは、前記立ち上げミラーは、偏光性をもつハーフミラーで構成されているとともに、前記ダイクロイックミラーは、前記第１の光源から出射した所定波長のレーザ光を反射する一方、これとは異なる波長で前記第２の光源から出射したレーザ光を透過するように前記第２の光源と前記立ち上げミラーとの間に配置されており、前記第１の光源と前記偏光制御素子との間に配置された中間ハーフミラーと、前記第１の対物レンズから前記偏光ビームスプリッタおよび偏光制御素子を通って戻ってきたレーザ光を、前記中間ハーフミラーを介して検出する第１の光検出器と、前記第１の光源と前記中間ハーフミラーとの間および前記中間ハーフミラーと前記第１の光検出器との間となる２箇所、または前記中間ハーフミラーと前記偏光制御素子との間となる１箇所に配置されたコリメータレンズと、前記立ち上げミラーと前記第２の対物レンズとの間に配置された１／４波長板と、前記１／４波長板を双方向に２回通ることにより、前記第２の対物レンズから前記立ち上げミラーを透過して前記第１の光源とは異なる方向に戻ってきたレーザ光を検出する第２の光検出器とを備えている。
【００２７】
好ましくは、前記第１の対物レンズおよび第２の対物レンズは、いずれか一方がブルーレイディスクに対応しており、他方がＨＤ−ＤＶＤに対応している。
【００２８】
好ましくは、前記第１の光源は、所定波長として４０５ｎｍのレーザ光を発する青色レーザ光源である。
【００２９】
好ましくは、前記第２の対物レンズは、ブルーレイディスクおよびＨＤ−ＤＶＤとは異なる規格の複数種類のディスクにも対応している。
【００３０】
本発明の第２の側面により提供される光ディスク装置は、上記第１の側面による光ピックアップを備えたことを特徴としている。
【図面の簡単な説明】
【００３１】
【図１】本発明が適用された光ピックアップの第１の実施例を示す要部平面図である。
【図２】図１のII−II線に沿う要部断面図である。
【図３】図１に示す光ピックアップの模式図である。
【図４】本発明が適用された光ピックアップの第２の実施例を示す要部平面図である。
【図５】図４のＶ−Ｖ線に沿う要部断面図である。
【図６】図４に示す光ピックアップの模式図である。
【図７】本発明が適用された光ピックアップの第３の実施例を示す模式図である。
【図８】本発明が適用された光ピックアップの第４の実施例を示す模式図である。
【図９】本発明が適用された光ピックアップの第５の実施例を示す模式図である。
【図１０】本発明が適用された光ピックアップの第６の実施例を示す模式図である。
【図１１】本発明が適用された光ピックアップの第７の実施例を示す要部平面図である。
【図１２】図１１に示す光ピックアップの模式図である。
【図１３】本発明が適用された光ピックアップの第８の実施例を示す模式図である。
【図１４】本発明が適用された光ピックアップの第９の実施例を示す模式図である。
【図１５】本発明が適用された光ピックアップの第１０の実施例を示す模式図である。
【図１６】本発明が適用された光ピックアップの第１１の実施例を示す模式図である。
【図１７】本発明が適用された光ピックアップの第１２の実施例を示す模式図である。
【図１８】本発明が適用された光ディスク装置の斜視図である。
【図１９】従来の光ピックアップの一例を示す平面図である。
【図２０】従来の光ピックアップの一例を示す断面図である。
【発明を実施するための最良の形態】
【００３２】
（第１の実施例）
図１〜３に示すように、光ピックアップＡ１は、光ディスクの一例としてブルーレイディスクとＨＤ−ＤＶＤとの双方に対応したものである。この光ピックアップＡ１は、図１に示すように、一対のガイドレール１に沿ってキャリッジ基板２が光ディスク（同図中に光ディスクの回転中心部Ｃを仮想線で示す）の径方向に往復移動するように構成されたものである。キャリッジ基板２には、アクチュエータユニット３、第１の光源１０、２つのコリメータレンズ１１Ａ，１１Ｂ、中間ハーフミラー１２、偏光制御素子１３、固定ミラー１４、および第１の光検出器１５が搭載されている。【００３３】
図２に示すように、アクチュエータユニット３は、電磁的作用によって可動部材３０が上下左右に振れるように固定部材３１に支持されたものである。固定部材３１は、内部が空胴となっており、この内部には、偏光ビームスプリッタ１６および立ち上げミラー１７が配置されている。可動部材３０には、ブルーレイディスク用の第１の対物レンズ１８とＨＤ−ＤＶＤ用の第２の対物レンズ１９が搭載されている。【００３４】
図３を参照して光学系を構成する各種の光学部品について説明する。第１の光源１０は、たとえば青色系のレーザダイオードからなり、ブルーレイディスクおよびＨＤ−ＤＶＤの双方に適用可能な略４０５ｎｍの波長帯域からなるレーザ光を出射する。この第１の光源１０は、入射面に対して平行な偏光状態のＰ波偏光のレーザ光を出射する。図中には、Ｐ波偏光のレーザ光を破線で示す。【００３５】
コリメータレンズ１１Ａ，１１Ｂは、入射したレーザ光を平行光に変換して出射する。一方のコリメータレンズ１１Ａは、第１の光源１０と中間ハーフミラー１２との間に配置されており、他方のコリメータレンズ１１Ｂは、中間ハーフミラー１２と第１の光検出器１５の間に配置されている。【００３６】
中間ハーフミラー１２は、入射したレーザ光を反射光と透過光とに分離する。この中間ハーフミラー１２は、第１の光源１０から出射したレーザ光を透過して偏光制御素子１３へと進行させる一方、偏光制御素子１３の方から戻ってきたレーザ光を反射して第１の光検出器１５へと進行させるように配置されている。【００３７】
偏光制御素子１３は、たとえば液晶素子を利用して入射したレーザ光の偏光状態を変化させるものである。たとえば、偏光制御素子１３に電圧を印加して液晶駆動状態をオンとした場合、入射したＰ波偏光のレーザ光は、入射面に垂直なＳ波偏光のレーザ光として偏光状態を変化させながら透過する。Ｓ波偏光のレーザ光が入射した場合にも、同様にＰ波偏光のレーザ光となって透過する。その一方、偏光制御素子１３に電圧を印加せずに液晶駆動状態をオフとした場合、入射したＰ波偏光のレーザ光は、偏光状態を変化させることなくＰ波偏光のレーザ光のまま透過する。図中には、Ｓ波偏光のレーザ光を一点鎖線で示す。【００３８】
第１の光検出器１５は、第１の対物レンズ１８および第２の対物レンズ１９の双方から偏光制御素子１３を通って戻ってきたレーザ光を、中間ハーフミラー１２およびコリメータレンズ１１Ｂを介して検出するように配置されている。【００３９】
偏光ビームスプリッタ１６は、偏光状態に応じてレーザ光を透過あるいは反射させる特性をもち、第１の対物レンズ１８の直下に配置されている。具体的に、この偏光ビームスプリッタ１６は、Ｐ波偏光のレーザ光をほぼ１００％透過させる一方、Ｓ波偏光のレーザ光をほぼ１００％反射させる。すなわち、図３（Ａ）に示すように、Ｓ波偏光のレーザ光は、偏光ビームスプリッタ１６で反射させられることにより、偏光制御素子１３と第１の対物レンズ１８との間で双方向に進行する。その一方、図３（Ｂ）に示すように、Ｐ波偏光のレーザ光は、偏光ビームスプリッタ１６を透過することにより、偏光制御素子１３と立ち上げミラー１７との間で双方向に進行する。【００４０】
立ち上げミラー１７は、全反射型のミラーであり、第２の対物レンズ１９の直下に配置されている。偏光ビームスプリッタ１６から立ち上げミラー１７に入射したレーザ光は、立ち上げミラー１７で反射して第２の対物レンズ１９へと進行し、第２の対物レンズ１９から戻ってきたレーザ光は、再び立ち上げミラー１７で反射して偏光ビームスプリッタ１６へと進行する。【００４１】
第１の対物レンズ１８は、ブルーレイディスク用として最適設計されたものであり、ブルーレイディスクのカバー層厚み０．１ｍｍや適用されるレーザ光の波長略４０５ｎｍに応じて球面収差が適切に補正されたものである。【００４２】
第２の対物レンズ１９は、ＨＤ−ＤＶＤ用として最適設計されたものであり、ＨＤ−ＤＶＤのカバー層厚み０．６ｍｍや適用されるレーザ光の波長略４０５ｎｍに応じて球面収差が適切に補正されたものである。【００４３】
ブルーレイディスクの記録／再生を行う場合と、ＨＤ−ＤＶＤの記録／再生を行う場合との光学的作用につき、図３を参照して説明する。【００４４】
まず、図３（Ａ）に示すように、ブルーレイディスクについて記録／再生を行う場合、第１の光源１０からＰ波偏光のレーザ光が出射され、このレーザ光がコリメータレンズ１１Ａおよび中間ハーフミラー１２を通って偏光制御素子１３に入射する。【００４５】
このとき、偏光制御素子１３は、電圧が印加された状態でレーザ光の偏光状態を変化させるモードにある。そのため、偏光制御素子１３に入射したＰ波偏光のレーザ光は、Ｓ波偏光のレーザ光として出射する。【００４６】
偏光制御素子１３から出射したＳ波偏光のレーザ光は、偏光ビームスプリッタ１６に入射する。偏光ビームスプリッタ１６は、Ｓ波偏光のレーザ光を反射する特性をもつため、偏光ビームスプリッタ１６で反射したＳ波偏光のレーザ光が第１の対物レンズ１８を介してブルーレイディスクに照射される。【００４７】
ブルーレイディスクに照射されたＳ波偏光のレーザ光は、ブルーレイディスクの記録層で反射されることにより、再び第１の対物レンズ１８および偏光ビームスプリッタ１６を介して偏光制御素子１３に戻ってくる。【００４８】
このときにおいても、偏光制御素子１３は、電圧が印加された状態でレーザ光の偏光状態を変化させるモードにあるため、偏光制御素子１３に戻ってきたＳ波偏光のレーザ光は、Ｐ波偏光のレーザ光として中間ハーフミラー１２に向けて出射する。【００４９】
中間ハーフミラー１２に戻ってきたＰ波偏光のレーザ光は、この中間ハーフミラー１２で反射されることにより、コリメータレンズ１１Ｂを介して第１の光検出器１５で検出される。これにより、ブルーレイディスクに対して光学的に精度よくアクセスを行うことができる。【００５０】
図３（Ｂ）に示すように、ＨＤ−ＤＶＤについて記録／再生を行う場合、第１の光源１０からＰ波偏光のレーザ光が出射され、このレーザ光がコリメータレンズ１１Ａおよび中間ハーフミラー１２を通って偏光制御素子１３に入射する。【００５１】
このとき、偏光制御素子１３は、電圧が印加されない状態でレーザ光の偏光状態を変化させずに透過させるモードにある。そのため、偏光制御素子１３に入射したＰ波偏光のレーザ光は、そのままＰ波偏光のレーザ光として出射する。【００５２】
偏光制御素子１３から出射したＰ波偏光のレーザ光は、偏光ビームスプリッタ１６に入射する。偏光ビームスプリッタ１６は、Ｐ波偏光のレーザ光を透過する特性をもつため、偏光ビームスプリッタ１６を透過したＰ波偏光のレーザ光が立ち上げミラー１７に入射する。【００５３】
立ち上げミラー１７では、Ｐ波偏光のレーザ光が第２の対物レンズ１９に向けて反射されることにより、このＰ波偏光のレーザ光は、第２の対物レンズ１９を介してＨＤ−ＤＶＤに照射される。【００５４】
ＨＤ−ＤＶＤに照射されたＰ波偏光のレーザ光は、ＨＤ−ＤＶＤの記録層で反射されることにより、再び第２の対物レンズ１９および立ち上げミラー１７を介して偏光ビームスプリッタ１６に戻り、この偏光ビームスプリッタ１６を透過することで偏光制御素子１３まで戻ってくる。【００５５】
このときにおいても、偏光制御素子１３は、電圧が印加されない状態でレーザ光の偏光状態を変化させずに透過させるモードにあるため、偏光制御素子１３に戻ってきたＰ波偏光のレーザ光は、Ｐ波偏光のレーザ光のまま透過して中間ハーフミラー１２に達する。【００５６】
中間ハーフミラー１２まで戻ってきたＰ波偏光のレーザ光は、この中間ハーフミラー１２で反射されることにより、コリメータレンズ１１Ｂを介して第１の光検出器１５で検出される。これにより、ＨＤ−ＤＶＤに対して光学的に精度よくアクセスを行うことができる。【００５７】
上記したような光ディスクの記録／再生を行う前には、対象となる光ディスクがブルーレイディスクかＨＤ−ＤＶＤかを光学的に判別しなければならない。これは、この種の分野では周知である、次のような手法に則って所定の動作を行えばよい。たとえば、対象となる光ディスクには、上記した記録／再生時と同様の手順でいずれか一方の対物レンズ（たとえば第１の対物レンズ１８）を介してレーザ光を照射する。このとき、アクチュエータユニット３の可動部材３０を光ディスクに対して一定の速度で接近させる。その際、光ディスクの表面で反射した光が第１の光検出器１５に到達する時間をｔ１、光ディスクの記録層で反射した光が第１の光検出器１５に到達する時間をｔ２とすると、これらの時間差Δｔ（＝ｔ１−ｔ２）は、光ディスクのカバー層厚みに応じて異なる値として求められる。これにより、光ディスクの記録／再生を行う前に対象となる光ディスクの種類を判別することができる。【００５８】
したがって、本実施例の光ピックアップＡ１によれば、第１の光源１０や第１の光検出器１５がブルーレイディスク用およびＨＤ−ＤＶＤ用として兼用されるので、光学部品の共通化を巧妙に図りつつも、比較的単純で簡単な構成とすることができる。【００５９】
具体的には、比較的高価な青色系レーザダイオードからなる第１の光源１０を一つだけ装備すればよいので、装置全体としてのコストダウンを図りながらコストパフォーマンスを高めることができる。すなわち、一つの光ピックアップＡ１に搭載される光学部品の点数をできる限り抑えることができるとともに、光ピックアップＡ１の小型化および軽量化を図ることができ、ひいては光ピックアップＡ１を往復動させる際の消費電力を低減させることができる。【００６０】
以下に説明する他の実施例については、先述した実施例によるものと同一または類似の構成要素を同一符号で表し、その説明を省略する。【００６１】
（第２の実施例）
図４〜６に示すように、本実施例の光ピックアップＡ２は、光ディスクの一例としてブルーレイディスクおよびＨＤ−ＤＶＤに加え、ＣＤおよびＤＶＤにも対応したものである。この光ピックアップＡ２は、図４に示すように、先述した第１の実施例によるものに加え、第２の光源（図示略）などを内蔵したレーザユニット４や固定ミラー５をＣＤ／ＤＶＤ用の光学部品としてキャリッジ基板２に搭載したものである。アクチュエータユニット３の可動部材３０に搭載された第１の対物レンズ１８は、ブルーレイディスク専用のものであるが、第２の対物レンズ１９は、ＨＤ−ＤＶＤ用だけでなくＣＤ／ＤＶＤ用としても用いられる互換性レンズからなる。その他、立ち上げミラー１７とレーザユニット４（第２の光源）との間には、ダイクロイックミラー２０が配置されている（図６参照）。このダイクロイックミラー２０は、青色系のレーザ光を反射する一方、赤色系のレーザ光を透過する特性をもつ。【００６２】
図６に示すように、レーザユニット４には、ＣＤ／ＤＶＤ用の第２の光源（図示略）がそれぞれに対応して１つずつ内蔵されている。このレーザユニット４には、ＣＤ／ＤＶＤ用の光検出器（図示略）などの光学部品も組み込まれている。ＣＤ／ＤＶＤ用の第２の光源は、概ね赤色系のレーザダイオードからなり、ＣＤ用の第２の光源では、ＣＤに応じた略７８０ｎｍの波長帯域からなるレーザ光を出射する。ＤＶＤ用の第２の光源では、ＤＶＤに応じた略６６０ｎｍの波長帯域からなるレーザ光を出射する。第１の光源１０から出射して偏光ビームスプリッタ１６に入射するレーザ光は、第２の光源から出射して立ち上げミラー１７に入射するレーザ光に対し、光軸が一致しつつも入射方向が逆向きの状態になっている。なお、以下の説明では、便宜上、第２の光源をＣＤ用とＤＶＤ用とに区別することなくＣＤ／ＤＶＤ用として総称する。第１の光源１０から出射したレーザ光については、黒い矢印先端で図示し、第２の光源から出射したレーザ光については、白抜きの矢印先端で図示する。【００６３】
本実施例における立ち上げミラー１７は、ハーフミラーからなり、第２の対物レンズ１９の直下に配置されている。偏光ビームスプリッタ１６から立ち上げミラー１７に入射したレーザ光は、一旦ミラー面を透過してからダイクロイックミラー２０で反射し、その後ミラー面で反射して第２の対物レンズ１９へと進行する。第２の対物レンズ１９から戻ってきたレーザ光は、ミラー面で反射してダイクロイックミラー２０へと進行し、このダイクロイックミラー２０で反射して再びミラー面を透過して偏光ビームスプリッタ１６へと戻る。【００６４】
ブルーレイディスクの記録／再生を行う場合と、ＨＤ−ＤＶＤの記録／再生を行う場合と、ＤＶＤ／ＣＤの記録／再生を行う場合との光学的作用につき、図６を参照して説明する。【００６５】
まず、図６（Ａ）に示すように、ブルーレイディスクについて記録／再生を行う場合には、図３（Ａ）で説明したのと同様である。これにより、ブルーレイディスクに対しては、光学的に精度よくアクセスを行うことができる。【００６６】
図６（Ｂ）に示すように、ＨＤ−ＤＶＤについて記録／再生を行う場合には、Ｐ波偏光のレーザ光が立ち上げミラー１７に入射するまでは図３（Ｂ）で説明したのと同様である。【００６７】
立ち上げミラー１７に入射したレーザ光は、青色系のレーザ光であるため、このレーザ光は、立ち上げミラー１７のミラー面を透過してからダイクロイックミラー２０で反射し、その後ミラー面で反射して第２の対物レンズ１９へと進行する。すなわち、青色系のレーザ光は、第２の対物レンズ１９を介してＨＤ−ＤＶＤに照射される。【００６８】
ＨＤ−ＤＶＤに照射された青色系のレーザ光は、ＨＤ−ＤＶＤの記録層で反射されることにより、再び立ち上げミラー１７のミラー面に戻る。このミラー面で反射した青色系のレーザ光は、再びダイクロイックミラー２０で反射し、その後ミラー面を透過して偏光ビームスプリッタ１６に戻る。このとき、偏光ビームスプリッタ１６に戻ってきた青色系のレーザ光は、Ｐ波偏光のレーザ光であるため、この偏光ビームスプリッタ１６を透過して偏光制御素子１３まで戻る。【００６９】
その後、偏光制御素子１３に戻ってきたＰ波偏光のレーザ光は、図３（Ｂ）で説明した通りの進行形態をとって第１の光検出器１５で検出される。これにより、ＨＤ−ＤＶＤに対して光学的に精度よくアクセスを行うことができる。【００７０】
図６（Ｃ）に示すように、ＣＤ／ＤＶＤについて記録／再生を行う場合には、レーザユニット４の第２の光源から赤色系のレーザ光が出射する。この赤色系のレーザ光は、ダイクロイックミラー２０に対して青色系のレーザ光とは逆方向に入射する。【００７１】
赤色系のレーザ光は、ダイクロイックミラー２０を透過してから立ち上げミラー１７のミラー面で反射し、第２の対物レンズ１９へと進行する。すなわち、赤色系のレーザ光は、第２の対物レンズ１９を介してＣＤ／ＤＶＤに照射される。【００７２】
ＣＤ／ＤＶＤに照射された赤色系のレーザ光は、ＣＤ／ＤＶＤの記録層で反射されることにより、再び立ち上げミラー１７のミラー面に戻る。このミラー面で反射した赤色系のレーザ光は、再びダイクロイックミラー２０を透過し、その後レーザユニット４に戻る。レーザユニット４では、ＣＤ／ＤＶＤ用の光検出器によってＣＤ／ＤＶＤから戻ってきた赤色系のレーザ光が検出される。これにより、ＣＤ／ＤＶＤに対して光学的に精度よくアクセスを行うことができる。【００７３】
したがって、本実施例の光ピックアップＡ２によれば、立ち上げミラー１７や第２の対物レンズ１９がＨＤ−ＤＶＤ用およびＣＤ／ＤＶＤ用として兼用されるので、光学部品の部品点数をそれほど大幅に増やすことなく４種類の光ディスクに対応することができる。【００７４】
また、アクチュエータユニット３に対しては、青色系のレーザ光と赤色系のレーザ光とが互いに逆方向から進入して逆方向に出ていくようになっているので、光ピックアップＡ２のサイズをできる限り切り詰めることができ、光ピックアップＡ２の小型化および軽量化を巧妙に図ることができる。【００７５】
（第３の実施例）
図７に示すように、本実施例の光ピックアップＡ３も、ブルーレイディスクおよびＨＤ−ＤＶＤに加え、ＣＤおよびＤＶＤに対応したものである。この光ピックアップＡ３は、先述した第２の実施例によるもの（図に加え、１／４波長板２１、固定ミラー２２、光学レンズ２３、および第２の光検出器３０を備えている。【００７６】
１／４波長板２１は、水晶などの複屈折性をもつ光学材料で作られた屈折板であり、入射した直線偏光のレーザ光に９０度の位相差を与えて出射させるものである。すなわち、１／４波長板２１によれば、入射した直線偏光のレーザ光が円偏光のレーザ光に変換され、円偏光のレーザ光が入射した場合には、直線偏光のレーザ光に変換される。この１／４波長板２１は、偏光ビームスプリッタ１６と第１の対物レンズ１８との間に配置されている。図中には、９０度の位相差がついた円偏光のレーザ光を細かい破線で示す。【００７７】
固定ミラー２２は、全反射型のミラーであり、偏光ビームスプリッタ１６の直下に配置されている。第２の光検出器３０は、固定ミラー２２で反射したレーザ光を光学レンズ２３を介して検出するように配置されている。すなわち、第２の光検出器３０は、ブルーレイディスク用として設けられている。これにより、第１の光検出器１５は、ＨＤ−ＤＶＤ用として用いられる。【００７８】
本実施例については、図７（Ｂ）および（Ｃ）に示すように、ＨＤ−ＤＶＤの記録／再生を行う場合とＣＤ／ＤＶＤの記録／再生を行う場合には、図６（Ｂ）および（Ｃ）で説明したのと同様である。これにより、ＨＤ−ＤＶＤおよびＣＤ／ＤＶＤに対しては、光学的に精度よくアクセスを行うことができる。【００７９】
図７（Ａ）に示すように、ブルーレイディスクについて記録／再生を行う場合、Ｓ波偏光のレーザ光が偏光ビームスプリッタ１６に入射するまでは図３（Ａ）で説明したのと同様である。【００８０】
偏光ビームスプリッタ１６で反射したＳ波偏光のレーザ光は、１／４波長板２１を通って第１の対物レンズ１８に進む。このとき、Ｓ波偏光のレーザ光は、１／４波長板２１によって直線偏光から円偏光に変換される。これにより、ブルーレイディスクに対しては、第１の対物レンズ１８を介して円偏光のレーザ光が照射される。【００８１】
ブルーレイディスクに照射された円偏光のレーザ光は、ブルーレイディスクの記録層で反射されることにより、再び第１の対物レンズ１８および１／４波長板２１を通って偏光ビームスプリッタ１６に戻ってくる。このとき、円偏光のレーザ光は、１／４波長板２１によって円偏光から直線偏光に変換される。すなわち、ブルーレイディスクに対して照射されたＳ波偏光のレーザ光は、１／４波長板２１を双方向に２回通ることで１８０度の位相差が付与され、その結果、Ｐ波偏光のレーザ光となって偏光ビームスプリッタ１６に戻ってくる。【００８２】
これにより、偏光ビームスプリッタ１６に戻ってきたＰ波偏光のレーザ光は、この偏光ビームスプリッタ１６を透過して固定ミラー２２で反射され、その後、Ｐ波偏光のレーザ光が光学レンズ２３を介して第２の光検出器３０で検出される。【００８３】
このような構成によれば、ブルーレイディスク用の第２の光検出器３０と、ＨＤ−ＤＶＤ用の第１の光検出器１５とが個別に設けられているので、それぞれの光ディスクに適した光検出器を用いることができ、ブルーレイディスクやＨＤ−ＤＶＤに対してより精度よくアクセスを行うことができる。【００８４】
（第４の実施例）
図８に示すように、本実施例の光ピックアップＡ４は、第２の実施例によるものと類似した構成からなるものである（図６参照）。この光ピックアップＡ４は、先述した第２の実施例によるものに加え、波長が略４０５ｎｍのレーザ光に対応した青色波長域用の１／４波長板２４、および赤色系のレーザ光について位相を補正する位相補正板２５を備えている。本実施例において、立ち上げミラー１７は、偏光ビームスプリッタ１６と同様の偏光性をもつハーフミラーで構成されている。【００８５】
青色波長域用の１／４波長板２４は、第３の実施例で説明した１／４波長板２１と同様の光学特性をもつものであり、特に、略４０５ｎｍの青色波長域に限定して直線偏光のレーザ光を正確に９０度の位相差を与えるものである。この青色波長域用の１／４波長板２４は、ダイクロイックミラー２０と立ち上げミラー１７との間に配置されている。【００８６】
位相補正板２５は、赤色系のレーザ光が青色波長域用の１／４波長板２４を通ることで生じる位相差のずれを補正するものであり、青色波長域用の１／４波長板２４と赤色系の第２の光源（レーザユニット４）との間に配置されている。【００８７】
本実施例については、図８（Ａ）に示すように、ブルーレイディスクの記録／再生を行う場合には、図６（Ａ）で説明したのと同様である。これにより、ブルーレイディスクに対しては、光学的に精度よくアクセスを行うことができる。【００８８】
図８（Ｂ）に示すように、ＨＤ−ＤＶＤについて記録／再生を行う場合、Ｐ波偏光のレーザ光が立ち上げミラー１７を透過するまでは図６（Ｂ）で説明したのと同様である。【００８９】
Ｐ波偏光のレーザ光は、立ち上げミラー１７が偏光性をもつハーフミラーからなるため、この立ち上げミラー１７をほぼ１００％透過して青色波長域用の１／４波長板２４に入射する。【００９０】
青色波長域用の１／４波長板２４に入射したＰ波偏光のレーザ光は、この１／４波長板２４によって直線偏光から円偏光に変換された後、ダイクロイックミラー２０で反射し、再び青色波長域用の１／４波長板２４を通って立ち上げミラー１７のミラー面に入射する。すなわち、青色系でＰ波偏光のレーザ光は、青色波長域用の１／４波長板２４を双方向に２回通ることで１８０度の位相差が付与され、その結果、Ｓ波偏光のレーザ光となって立ち上げミラー１７により第２の対物レンズ１９に向けてほぼ１００％反射される。これにより、ＨＤ−ＤＶＤに対しては、青色系でＳ波偏光のレーザ光が十分な光量をもって照射される。【００９１】
ＨＤ−ＤＶＤに照射された青色系でＳ波偏光のレーザ光は、ＨＤ−ＤＶＤの記録層で反射されることにより、再び立ち上げミラー１７のミラー面に戻る。このミラー面でほぼ１００％反射したＳ波偏光のレーザ光は、再び青色波長域用の１／４波長板２４を２回通ってダイクロイックミラー２０で反射することにより、立ち上げミラー１７のミラー面に戻る。すなわち、ＨＤ−ＤＶＤから戻ってきた青色系でＳ波偏光のレーザ光は、青色波長域用の１／４波長板２４を双方向に２回通ることで１８０度の位相差が付与され、その結果、Ｐ波偏光のレーザ光となって立ち上げミラー１７をほぼ１００％透過する。【００９２】
このとき、立ち上げミラー１７を透過して偏光ビームスプリッタ１６に戻ってきた青色系のレーザ光は、Ｐ波偏光のレーザ光であるため、この偏光ビームスプリッタ１６を透過して偏光制御素子１３まで戻る。【００９３】
その後、偏光制御素子１３に戻ってきたＰ波偏光のレーザ光は、図３（Ｂ）で説明した通りの進行形態をとって第１の光検出器１５で検出される。これにより、ＨＤ−ＤＶＤに対して光学的に精度よくアクセスを行うことができる。【００９４】
図８（Ｃ）に示すように、ＣＤ／ＤＶＤについて記録／再生を行う場合には、レーザユニット４の第２の光源から赤色系のレーザ光が出射する。この赤色系のレーザ光は、位相補正板２５を通ることにより所定の位相差が付与された状態でダイクロイックミラー２０を透過する。【００９５】
ダイクロイックミラー２０を透過した赤色系のレーザ光は、青色波長域用の１／４波長板２４を通って立ち上げミラー１７のミラー面に入射する。この赤色系のレーザ光は、さらに立ち上げミラー１７のミラー面で反射して第２の対物レンズ１９へと進行し、この第２の対物レンズ１９を介してＣＤ／ＤＶＤに照射される。【００９６】
ＣＤ／ＤＶＤに照射された赤色系のレーザ光は、ＣＤ／ＤＶＤの記録層で反射されることにより、再び立ち上げミラー１７のミラー面に戻る。このミラー面で反射した赤色系のレーザ光は、再び青色波長域用の１／４波長板２４、ダイクロイックミラー２０、および位相補正板２５を順に通ってレーザユニット４に戻る。レーザユニット４では、ＣＤ／ＤＶＤ用の光検出器によってＣＤ／ＤＶＤから戻ってきた赤色系のレーザ光が検出される。すなわち、ＣＤ／ＤＶＤに照射された赤色系のレーザ光は、青色波長域用の１／４波長板２４を２回通るために位相にずれを生じるが、その位相のずれが位相補正板２５によって適正に補正された状態でレーザユニット４に戻ってくるため、ＣＤ／ＤＶＤに対しても光学的に精度よくアクセスを行うことができる。【００９７】
したがって、本実施例の光ピックアップＡ４によれば、立ち上げミラー１７が偏光性をもつハーフミラーからなるため、ＨＤ−ＤＶＤに対して青色系のレーザ光を十分な光量をもって照射することができる。ＨＤ−ＤＶＤで反射して戻ってきたレーザ光についても、第１の光検出器１５で十分な光量をもって検出することができる。つまり、第１の光検出器１５をブルーレイディスク用およびＨＤ−ＤＶＤ用として兼用しても双方の光ディスクに対してより高精度にアクセスを行うことができる。【００９８】
（第５の実施例）
図９に示すように、本実施例の光ピックアップＡ５は、第４の実施例によるものと類似した構成からなるものである（図８参照）。この光ピックアップＡ５は、先述した第４の実施例によるものに加え、１／４波長板２６、固定ミラー２７、光学レンズ２８、および第２の光検出器３０を備えている。【００９９】
１／４波長板２６は、第３の実施例で説明したものと同様に、水晶などの複屈折性をもつ光学材料で作られた屈折板であり、入射した直線偏光のレーザ光に９０度の位相差を与えて出射させるものである。この１／４波長板２６は、立ち上げミラー１７と第２の対物レンズ１９との間に配置されている。この立ち上げミラー１７は、第４の実施例によるものと同様に、偏光性をもつハーフミラーで構成されている。【０１００】
固定ミラー２７は、全反射型のミラーであり、立ち上げミラー１７の直下に配置されている。第２の光検出器３０は、固定ミラー２７で反射したレーザ光を光学レンズ２８を介して検出するように配置されている。すなわち、第２の光検出器３０は、ＨＤ−ＤＶＤ用として設けられている。これにより、第１の光検出器１５は、ブルーレイディスク用として用いられる。【０１０１】
本実施例については、図９（Ａ）に示すように、ブルーレイディスクの記録／再生を行う場合には、図６（Ａ）で説明したのと同様である。これにより、ブルーレイディスクに対しては、光学的に精度よくアクセスを行うことができる。【０１０２】
図９（Ｂ）に示すように、ＨＤ−ＤＶＤについて記録／再生を行う場合、立ち上げミラー１７から第２の対物レンズ１９に向けてＳ波偏光のレーザ光が出射するまでは図８（Ｂ）で説明したのと同様である。【０１０３】
立ち上げミラー１７から出射したＳ波偏光のレーザ光は、１／４波長板２６を通って第２の対物レンズ１９に進む。このとき、Ｓ波偏光のレーザ光は、１／４波長板２６によって直線偏光から円偏光に変換される。これにより、ＨＤ−ＤＶＤに対しては、第２の対物レンズ１９を介して円偏光のレーザ光が照射される。【０１０４】
ＨＤ−ＤＶＤに照射された円偏光のレーザ光は、ＨＤ−ＤＶＤの記録層で反射されることにより、再び第２の対物レンズ１９および１／４波長板２６を通って立ち上げミラー１７に戻ってくる。このとき、円偏光のレーザ光は、１／４波長板２６によって円偏光から直線偏光に変換される。すなわち、ＨＤ−ＤＶＤに対して照射されたレーザ光は、１／４波長板２６を双方向に２回通ることで１８０度の位相差が付与され、その結果、Ｐ波偏光のレーザ光となって立ち上げミラー１７に戻ってくる。【０１０５】
これにより、立ち上げミラー１７に戻ってきたＰ波偏光のレーザ光は、この立ち上げミラー１７を透過して固定ミラー２７で反射され、その後、Ｐ波偏光のレーザ光が光学レンズ２８を介して第２の光検出器３０で検出される。【０１０６】
このような構成によっても、ＨＤ−ＤＶＤ用の第２の光検出器３０と、ブルーレイディスク用の第１の光検出器１５とが個別に設けられるので、それぞれの光ディスクに適した光検出器を用いることができ、ブルーレイディスクやＨＤ−ＤＶＤに対してより精度よくアクセスを行うことができる。【０１０７】
図９（Ｃ）に示すように、ＣＤ／ＤＶＤについて記録／再生を行う場合、レーザユニット４の第２の光源から出射した赤色系のレーザ光は、位相補正板２５、ダイクロイックミラー２０、青色波長域用の１／４波長板２４、立ち上げミラー１７、１／４波長板２６、および第２の対物レンズ１９を順に通ってＣＤ／ＤＶＤに照射される。【０１０８】
ＣＤ／ＤＶＤに照射された赤色系のレーザ光は、ＣＤ／ＤＶＤの記録層で反射されることにより、再び元の光路を逆に辿ってレーザユニット４に戻る。これにより、ＣＤ／ＤＶＤに対しても光学的に精度よくアクセスを行うことができる。【０１０９】
したがって、本実施例の光ピックアップＡ５によれば、ブルーレイディスクおよびＨＤ−ＤＶＤに対してより高精度にアクセスを行うことができる。【０１１０】
（第６の実施例）
図１０に示すように、本実施例の光ピックアップＡ６は、第３の実施例による構成と第５の実施例による構成とを組み合わせた構成からなるものである（図７および図９参照）。この光ピックアップＡ６では、中間ハーフミラーが撤去されている。第１の光検出器１５は、第１の対物レンズ１８、１／４波長板２１、偏光ビームスプリッタ１６、固定ミラー２２、およびコリメータレンズ１１Ｂを順に通って戻ってきたレーザ光を検出するように配置されている。第２の光検出器３０は、第２の対物レンズ１９、１／４波長板２６、立ち上げミラー１７、固定ミラー２７、および光学レンズ２８を順に通って戻ってきたレーザ光を検出するように配置されている。すなわち、第１の光検出器１５は、ブルーレイディスク用として設けられており、第２の光検出器３０は、ＨＤ−ＤＶＤ用として設けられている。ブルーレイディスクやＨＤ−ＤＶＤに対するレーザ光の進行形態は、第３および第５の実施例によるものとほぼ同様である。【０１１１】
このような構成によれば、中間ハーフミラーを透過する際のレーザ光の減衰がほとんど無くなるので、ブルーレイディスクおよびＨＤ−ＤＶＤの双方に対してレーザ光を効率よく照射することができる。【０１１２】
（第７の実施例）
図１１および図１２に示すように、本実施例の光ピックアップＡ７は、第２の実施例によるものと類似した構成からなるものである（図６参照）。すなわち、この光ピックアップＡ７では、青色系の光路をなす中間ハーフミラー１２と偏光制御素子１３との間にコリメータレンズ１１が配置されている。図１３（Ａ）および（Ｂ）に示すように、青色系のレーザ光の進行形態としては、中間ハーフミラー１２を透過したレーザ光がコリメータレンズ１１を介して偏光制御素子１３に入射する。その一方、偏光制御素子１３から戻ってきたレーザ光は、再びコリメータレンズ１１を通って中間ハーフミラー１２に戻り、この中間ハーフミラー１２から直接第１の光検出器１５に導かれる。【０１１３】
このような構成によれば、光学部品としてのレンズの個数を削減することができ、光ピックアップＡ７の小型化および軽量化に有効である。【０１１４】
（第８の実施例）
図１３に示すように、本実施例の光ピックアップＡ８は、第４の実施例によるものと類似した構成からなるものである（図８参照）。すなわち、この光ピックアップＡ８においても、青色系の光路をなす中間ハーフミラー１２と偏光制御素子１３との間にコリメータレンズ１１が配置されている。青色系のレーザ光の進行形態としては、第７の実施例によるものと同様である。このような構成によっても、光学部品としてのレンズの個数を削減することができるため、光ピックアップＡ８の小型化および軽量化に有効である。【０１１５】
（第９の実施例）
図１４に示すように、本実施例の光ピックアップＡ９は、第５の実施例によるものと類似した構成からなるものである（図９参照）。すなわち、この光ピックアップＡ９も、青色系の光路をなす中間ハーフミラー１２と偏光制御素子１３との間にコリメータレンズ１１が配置されたものである。このような構成によっても、光学部品としてのレンズの個数を削減することができるため、光ピックアップＡ９の小型化および軽量化に有効である。【０１１６】
（第１０の実施例）
図１５に示すように、本実施例の光ピックアップＡ１０は、第２の実施例や第７の実施例によるものと類似した構成からなるものである（図６および図１１参照）。すなわち、この光ピックアップＡ１０においても、青色系の光路をなす中間ハーフミラー１２と偏光制御素子１３との間にコリメータレンズ１１が配置されている。ダイクロイックミラー２０は、偏光ビームスプリッタ１６と立ち上げミラー１７の間に配置されており、さらにダイクロイックミラー２０と偏光ビームスプリッタ１６との間には、１／２波長板４０が配置されている。【０１１７】
本実施例におけるダイクロイックミラー２０は、青色系のレーザ光を透過する一方、赤色系のレーザ光を反射する特性をもつ。１／２波長板４０は、水晶などの複屈折性をもつ光学材料で作られた屈折板であり、入射した直線偏光のレーザ光に１８０度の位相差を与えて出射させるものである。すなわち、１／２波長板４０によれば、Ｐ波偏光のレーザ光がＳ波偏光のレーザ光に変換されて出射する一方、Ｓ波偏光のレーザ光がＰ波偏光のレーザ光に変換されて出射する。【０１１８】
本実施例については、図１５（Ａ）に示すように、ブルーレイディスクの記録／再生を行う場合には、図３（Ａ）などで説明したのとほぼ同様である。【０１１９】
図１５（Ｂ）に示すように、ＨＤ−ＤＶＤの記録／再生を行う場合には、青色系でＰ波偏光のレーザ光が偏光ビームスプリッタ１６を透過するまでは図３（Ｂ）などで説明したのと同様である。【０１２０】
偏光ビームスプリッタ１６を透過した青色系でＰ波偏光のレーザ光は、１／２波長板４０を通ってダイクロイックミラー２０に進む。このとき、Ｐ波偏光のレーザ光は、１／２波長板４０によってＳ波偏光のレーザ光に変換される。このレーザ光は、青色系のレーザ光であるため、ダイクロイックミラー２０を透過してから立ち上げミラー１７のミラー面で反射し、第２の対物レンズ１９へと進行する。すなわち、ＨＤ−ＤＶＤに対しては、青色系でＳ波偏光のレーザ光が第２の対物レンズ１９を介して照射される。【０１２１】
ＨＤ−ＤＶＤに照射された青色系でＳ波偏光のレーザ光は、ＨＤ−ＤＶＤの記録層で反射されることにより、再び立ち上げミラー１７のミラー面に戻る。このミラー面で反射したレーザ光は、再びダイクロイックミラー２０を透過して１／２波長板４０に入射する。このとき、１／２波長板４０に入射したレーザ光は、Ｓ波偏光の状態であるため、１／２波長板４０からは、偏光ビームスプリッタ１６に向けてＰ波偏光のレーザ光が出射する。【０１２２】
その後のレーザ光の進行形態としては、図３（Ｂ）などで説明したのと同様である。すなわち、偏光ビームスプリッタ１６に戻ってきたＰ波偏光のレーザ光は、この偏光ビームスプリッタ１６、偏光制御素子１３、コリメータレンズ１１、および中間ハーフミラー１２を順に通って第１の光検出器１５で検出される。【０１２３】
図１５（Ｃ）に示すように、ＣＤ／ＤＶＤについて記録／再生を行う場合には、レーザユニット４の第２の光源から赤色系のレーザ光が出射する。この赤色系のレーザ光は、立ち上げミラー１７のミラー面を透過してからダイクロイックミラー２０に入射する。【０１２４】
ダイクロイックミラー２０に入射した赤色系のレーザ光は、このダイクロイックミラー２０で反射されることにより、再び立ち上げミラー１７のミラー面に戻る。立ち上げミラー１７のミラー面では、赤色系のレーザ光が反射されて第２の対物レンズ１９へと進行し、この第２の対物レンズ１９を介して赤色系のレーザ光がＣＤ／ＤＶＤに照射される。【０１２５】
ＣＤ／ＤＶＤに照射された赤色系のレーザ光は、ＣＤ／ＤＶＤの記録層で反射されることにより、再び立ち上げミラー１７のミラー面に戻る。このミラー面で反射した赤色系のレーザ光は、再びダイクロイックミラー２０によって反射されることにより、立ち上げミラー１７のミラー面を透過してレーザユニット４に戻る。レーザユニット４では、ＣＤ／ＤＶＤ用の光検出器によってＣＤ／ＤＶＤから戻ってきた赤色系のレーザ光が検出される。【０１２６】
したがって、本実施例による光ピックアップＡ１０によっても、第２の実施例などによるものと同様の効果を実現することができる。【０１２７】
（第１１の実施例）
図１６に示すように、本実施例の光ピックアップＡ１１は、第４や第８の実施例によるもの、さらには第１０の実施例によるものと類似した構成からなるものである（図８、図１３および図１５参照）。すなわち、この光ピックアップＡ１１では、ダイクロイックミラー２０と立ち上げミラー１７との間に青色波長域用の１／４波長板２４が配置されている。立ち上げミラー１７は、偏光性をもつハーフミラーで構成されている。ダイクロイックミラー２０は、青色系のレーザ光を透過する一方、赤色系のレーザ光を反射する特性をもつものである。【０１２８】
本実施例についても、図１６（Ａ）に示すように、ブルーレイディスクの記録／再生を行う場合には、図１５（Ａ）などとほぼ同様である。【０１２９】
図１６（Ｂ）に示すように、ＨＤ−ＤＶＤの記録／再生を行う場合には、青色系でＰ波偏光のレーザ光が１／２波長板４０を透過するまでは図１５（Ｂ）などで説明したのと同様である。【０１３０】
１／２波長板４０を透過することでＳ波偏光となった青色系のレーザ光は、ダイクロイックミラー２０を透過して青色波長域用の１／４波長板２４に入射する。【０１３１】
青色波長域用の１／４波長板２４に入射したＳ波偏光のレーザ光は、この１／４波長板２４によって直線偏光から円偏光に変換された後、立ち上げミラー２０でほぼ１００％反射して第２の対物レンズ１９に進行する。これにより、ＨＤ−ＤＶＤに対しては、青色系で円偏光のレーザ光が十分な光量をもって照射される。【０１３２】
ＨＤ−ＤＶＤに照射された青色系で円偏光のレーザ光は、ＨＤ−ＤＶＤの記録層で反射されることにより、再び立ち上げミラー１７のミラー面に戻る。このミラー面でほぼ１００％反射した円偏光のレーザ光は、再び青色波長域用の１／４波長板２４、ダイクロイックミラー２０、および１／２波長板４０を順に通って偏光ビームスプリッタ１６に戻る。すなわち、このような構成によっても、ＨＤ−ＤＶＤから戻ってきたレーザ光を第１の光検出器１５で十分な光量をもって検出することができる。【０１３３】
図１６（Ｃ）に示すように、ＣＤ／ＤＶＤの記録／再生を行う場合には、レーザユニット４の第２の光源から赤色系のレーザ光が出射する。この赤色系のレーザ光は、立ち上げミラー１７のミラー面および青色波長域用の１／４波長板２４を透過してからダイクロイックミラー２０に入射する。【０１３４】
ダイクロイックミラー２０に入射した赤色系のレーザ光は、このダイクロイックミラー２０で反射されることにより、再び青色波長域用の１／４波長板２４を透過して立ち上げミラー１７のミラー面に戻る。立ち上げミラー１７のミラー面では、赤色系のレーザ光が反射されて第２の対物レンズ１９へと進行し、この第２の対物レンズ１９を介して赤色系のレーザ光がＣＤ／ＤＶＤに照射される。【０１３５】
ＣＤ／ＤＶＤに照射された赤色系のレーザ光は、ＣＤ／ＤＶＤの記録層で反射されることにより、再び立ち上げミラー１７のミラー面に戻る。このミラー面で反射した赤色系のレーザ光は、再び青色波長域用の１／４波長板２４を透過してダイクロイックミラー２０で反射され、さらに立ち上げミラー１７のミラー面を透過してレーザユニット４に戻る。レーザユニット４では、ＣＤ／ＤＶＤ用の光検出器によってＣＤ／ＤＶＤから戻ってきた赤色系のレーザ光が検出される。【０１３６】
したがって、本実施例による光ピックアップＡ１１によっても、第４の実施例などによるものと同様の効果を実現することができる。【０１３７】
（第１２の実施例）
図１７に示すように、本実施例の光ピックアップＡ１２は、第５の実施例や第９の実施例によるものと類似した構成からなるものである（図９および図１４参照）。すなわち、この光ピックアップＡ１２では、立ち上げミラー１７とレーザユニット４との間にダイクロイックミラー２０のみが配置されており、第２の対物レンズ１９と立ち上げミラー１７との間には、１／４波長板２６が配置されている。立ち上げミラー１７は、一般的なハーフミラーで構成されている。ダイクロイックミラー２０は、青色系のレーザ光を反射する一方、赤色系のレーザ光を透過する特性をもつものである。【０１３８】
本実施例についても、図１７（Ａ）に示すように、ブルーレイディスクの記録／再生を行う場合には、図９（Ａ）や図１４（Ａ）などとほぼ同様である。【０１３９】
図１７（Ｂ）に示すように、ＨＤ−ＤＶＤの記録／再生を行う場合には、青色系でＰ波偏光のレーザ光が立ち上げミラー１７のミラー面を透過する。このミラー面を透過した青色系のレーザ光は、ダイクロイックミラー２０により反射されることで立ち上げミラー１７のミラー面に戻る。【０１４０】
さらに、青色系のレーザ光は、立ち上げミラー１７のミラー面で反射され、１／４波長板２６を通って第２の対物レンズ１９に進む。このとき、青色系でＰ波偏光のレーザ光は、１／４波長板２６によって直線偏光から円偏光に変換される。これにより、ＨＤ−ＤＶＤに対しては、第２の対物レンズ１９を介して円偏光のレーザ光が照射される。【０１４１】
ＨＤ−ＤＶＤに照射された円偏光のレーザ光は、ＨＤ−ＤＶＤの記録層で反射されることにより、再び第２の対物レンズ１９および１／４波長板２６を通って立ち上げミラー１７に戻ってくる。このとき、円偏光のレーザ光は、１／４波長板２６によって円偏光から直線偏光に変換される。すなわち、ＨＤ−ＤＶＤに対して照射されたレーザ光は、１／４波長板２６を双方向に２回通ることで１８０度の位相差が付与され、その結果、青色系でＳ波偏光のレーザ光となって立ち上げミラー１７に戻ってくる。【０１４２】
これにより、立ち上げミラー１７に戻ってきたＳ波偏光のレーザ光は、この立ち上げミラー１７を透過して固定ミラー２７で反射され、その後、青色系でＳ波偏光のレーザ光が光学レンズ２８を介して第２の光検出器３０で検出される。【０１４３】
このような構成によっても、ＨＤ−ＤＶＤ用の第２の光検出器３０と、ブルーレイディスク用の第１の光検出器１５とが個別に設けられるので、それぞれの光ディスクに適した光検出器を用いることができ、ブルーレイディスクやＨＤ−ＤＶＤに対してより精度よくアクセスを行うことができる。【０１４４】
図１７（Ｃ）に示すように、ＣＤ／ＤＶＤについて記録／再生を行う場合、レーザユニット４の第２の光源からは、たとえば赤色系でＳ波偏光のレーザ光が出射される。この赤色系のレーザ光は、ダイクロイックミラー２０を透過して立ち上げミラー１７のミラー面で反射される。【０１４５】
立ち上げミラー１７のミラー面で反射された赤色系のレーザ光は、１／４波長板２６を通って第２の対物レンズ１９に進む。このとき、赤色系でＳ波偏光のレーザ光は、１／４波長板２６によって直線偏光から円偏光に変換される。これにより、ＣＤ／ＤＶＤに対しても、第２の対物レンズ１９を介して円偏光のレーザ光が照射される。【０１４６】
ＣＤ／ＤＶＤに照射された円偏光で赤色系のレーザ光は、ＣＤ／ＤＶＤの記録層で反射されることにより、再び第２の対物レンズ１９および１／４波長板２６を通って立ち上げミラー１７に戻ってくる。このとき、赤色系のレーザ光は、１／４波長板２６によって円偏光から直線偏光に変換される。すなわち、ＣＤ／ＤＶＤに対して照射された赤色系のレーザ光は、１／４波長板２６を双方向に２回通ることで１８０度の位相差が付与され、その結果、赤色系でＰ波偏光のレーザ光となって立ち上げミラー１７に戻ってくる。【０１４７】
これにより、立ち上げミラー１７に戻ってきたＰ波偏光のレーザ光は、この立ち上げミラー１７を透過して固定ミラー２７で反射され、その後、赤色系でＰ波偏光のレーザ光が光学レンズ２８を介して第２の光検出器３０で検出される。【０１４８】
したがって、本実施例による光ピックアップＡ１２によれば、第９の実施例などによるものと同様の効果を実現することができるほか、第２の光検出器３０をＨＤ／ＤＶＤ用だけでなくＣＤ／ＤＶＤ用としても用いることができ、光学部品の共通化をより巧妙に図ることができる。【０１４９】
図１８に示すように、上記第１〜１２の実施例による光ピックアップＡ１〜Ａ１２（同図において図示略）は、光ディスク装置Ｄに備えられる。このような光ディスク装置Ｄは、光ディスクＣ０を挿入するための挿入口７０、光ピックアップＡ１〜Ａ１２が搭載されるトラバースユニット７１、トラバースユニット７１を支持して光ディスクＣ０の径方向に往復移動可能とするガイドレール７２、ならびにトラバースユニット７１をガイドレール７２に沿って往復移動させる駆動手段７４などを有して構成される。このような光ディスク装置Ｄでは、先述した光ピックアップＡ１〜Ａ１２を装備することで装置全体の薄型化や小型化を実現することができる。なお、本実施例では、第一の実施例で示した光ピックアップ１を光ディスク装置７に搭載した例を記載したが、第二の実施例乃至第五の実施例のいずれかで説明した光ピックアップに置き換え可能なことは言うまでもない。【０１５０】
なお、本発明は、上記の各実施例に限定されるものではない。【０１５１】
たとえば、第１の対物レンズをＨＤ−ＤＶＤ用として用いる一方、第２の対物レンズをブルーレイディスク用として用いてもよい。
【図１】
2006106725.tif 000002
【図２】
2006106725.tif 000003
【図３】
2006106725.tif 000004
【図４】
2006106725.tif 000005
【図５】
2006106725.tif 000006
【図６】
2006106725.tif 000007
【図７】
2006106725.tif 000008
【図８】
2006106725.tif 000009
【図９】
2006106725.tif 000010
【図１０】
2006106725.tif 000011
【図１１】
2006106725.tif 000012
【図１２】
2006106725.tif 000013
【図１３】
2006106725.tif 000014
【図１４】
2006106725.tif 000015
【図１５】
2006106725.tif 000016
【図１６】
2006106725.tif 000017
【図１７】
2006106725.tif 000018
【図１８】
2006106725.tif 000019
【図１９】
2006106725.tif 000020
【図２０】
2006106725.tif 000021
【国際調査報告】
2006106725.tif 000022
2006106725.tif 000023
2006106725.tif 000024